(57)【特許請求の範囲】
【請求項１】
筐体に収納される収納位置と前記筐体から引き出される引出位置との間を移動可能に前記筐体に支持される引出部材、又は前記筐体に固定される固定部材と、
前記固定部材に対し移動可能に支持され、前記引出部材が前記収納位置から前記引出位置へ向けて移動しようとすると前記固定部材から引き出されて移動し、所定距離移動すると停止する移動部材と、
前記移動部材に設けられ、前記固定部材が固定されてない前記筐体又は前記引出部材を磁力により吸着すると共に、前記移動部材が前記固定部材から引き出されて所定距離移動した後に、前記引出部材を引出位置へ向けて移動させると前記筐体又は前記引出部材と離間する磁石部材と、
前記磁石部材と、前記磁石部材が磁力により吸着する前記筐体又は前記引出部材との距離を調整する調整機構と、
を備える移動抑制装置。
【請求項２】
前記移動部材には、前記磁石部材を内部に保持するホルダー部が設けられ、
前記調整機構は、
前記磁石部材に設けられた係止部材と、
前記ホルダー部に設けられ、前記係止部材を複数位置で係止する係止溝と、
を備える請求項１に記載の移動抑制装置。
【発明の詳細な説明】
【技術分野】
【０００１】
本発明は、移動抑制装置に関する。
【背景技術】
【０００２】
特許文献１に記載の構成では、本体に対して引き出し可能とされた引出部材の磁性体と、本体に設けられた当接部の磁性体とが磁力により互いに引き合あうようになっている。そして、引出部材を本体に収納される収納位置から引き出すと磁力により引出部材に引き付けられた当接部が移動するようになっている。
【先行技術文献】
【特許文献】
【０００３】
【特許文献１】特開２００８−２７８９８５号公報
【発明の概要】
【発明が解決しようとする課題】
【０００４】
しかしながら、従来の構成では、引出部材の惰性走行を抑制して引出部材を任意の位置で停止させることができなかった。
【０００５】
本発明の課題は、引出部材の惰性走行を抑制して引出部材を任意の位置で停止させることである。
【課題を解決するための手段】
【０００６】
本発明の請求項１に係る移動抑制装置は、筐体に収納される収納位置と前記筐体から引き出される引出位置との間を移動可能に前記筐体に支持される引出部材、又は前記筐体に固定される固定部材と、前記固定部材に対し移動可能に支持され、前記引出部材が前記収納位置から前記引出位置へ向けて移動しようとすると前記固定部材から引き出されて移動し、所定距離移動すると停止する移動部材と、前記移動部材に設けられ、前記固定部材が固定されてない前記筐体又は前記引出部材を磁力により吸着すると共に、前記移動部材が前記固定部材から引き出されて所定距離移動した後に、前記引出部材を引出位置へ向けて移動させると前記筐体又は前記引出部材と離間する磁石部材と、前記磁石部材と、前記磁石部材が磁力により吸着する前記筐体又は前記引出部材との距離を調整する調整機構と、を備えることを特徴とする。
【０００７】
上記構成によれば、筐体に収納される収納位置と筐体から引き出される引出位置との間を移動可能に筐体に支持される引出部材、又は筐体に、固定部材が固定されている。さらに、移動部材が固定部材に対し移動可能に支持され、引出部材が収納位置から引出位置へ向けて移動しようとすると、移動部材は、固定部材から引き出されて移動して所定距離移動すると停止する。
【０００８】
また、移動部材に設けられた磁石部材が、固定部材が固定されてない筐体又は引出部材を磁力により吸着する。そして、移動部材が固定部材から引き出されて所定距離移動した後に、引出部材を引出位置へ向けて移動させると、磁石部材は、筐体又は引出部材と離間する。
【０００９】
このように、移動部材が所定距離移動すると停止することで、引出部材の惰性走行を抑制して引出部材を収納位置と引出位置の間との任意の位置で停止させることができる。
【００１１】
さらに、調整機構が、磁石部材と磁石部材が磁力により吸着する筐体又は引出部材との距離を調整する。これにより、筐体又は引出部材に対する磁石部材の吸着力を容易に変えることができる。
【００１２】
本発明の請求項２に係る移動抑制装置は、請求項１に記載において、前記移動部材には、前記磁石部材を内部に保持するホルダー部が設けられ、前記調整機構は、前記磁石部材に設けられた係止部材と、前記ホルダー部に設けられ、前記係止部材を複数位置で係止する係止溝と、を備えることを特徴とする。
【００１３】
上記構成によれば、磁石部材に設けられた係止部材を、係止溝に係止させることで、磁石部材を複数位置に停止させることができる。
【発明の効果】
【００１４】
本発明によれば、引出部材の惰性走行を抑制して引出部材を任意の位置で停止させることができる。
【図面の簡単な説明】
【００１５】
【図１】本発明の実施形態に係る移動抑制装置を示した分解斜視図である。
【図２】（Ａ）（Ｂ）本発明の実施形態に係る移動抑制装置に設けられた磁石部材等を示す断面図である。
【図３】本発明の実施形態に係る移動抑制装置が採用された引出部材及びキャビネット等を示した斜視図である。
【図４】本発明の実施形態に係る移動抑制装置が採用された引出部材及びキャビネット等を示した斜視図である。
【図５】本発明の実施形態に係る移動抑制装置が採用された引出部材及びキャビネット等を示した斜視図である。
【図６】本発明の実施形態に係る移動抑制装置が採用された引出部材及びキャビネット等を示した側面図である。
【図７】本発明の実施形態に係る移動抑制装置が採用された引出部材及びキャビネット等を示した側面図である。
【図８】本発明の実施形態に係る移動抑制装置が採用された引出部材及びキャビネット等を示した側面図である。
【図９】本発明の実施形態に係る移動抑制装置が採用された引出部材及びキャビネット等を示した側面図である。
【図１０】本発明の実施形態に係る移動抑制装置が採用された引出部材及びキャビネット等を示した側面図である。
【発明を実施するための形態】
【００１６】
本発明の実施形態に係る移動抑制装置の一例について図１〜図１０に従って説明する。なお、矢印ＵＰはキッチンキャビネットの上方方向を示す。
【００１７】
（全体構成）
図３に示されるように、本実施形態の移動抑制装置１１は、筐体の一例としてのキッチンキャビネット１２（以下キャビネット１２という）の側壁部１２Ａに固定され、この側壁部１２Ａと、キャビネット１２から引き出し自在とされる引出部材１４の側壁１４Ｃとの間に設けられている。また、引出部材１４の前部１４Ａ（図３に示す左端部）には、板状の鏡板１６が設けられている。そして、引出部材１４はキャビネット１２の左右側壁部１２Ａの内側面に設けたガイドレール（図示省略）に沿って、キャビネット１２に収納される収納位置（図６参照）とキャビネット１２から引き出された引出位置（図１０参照）との間を移動可能にキャビネット１２に支持されている。
【００１８】
図６に示されるように、鏡板１６は引出部材１４の前部１４Ａに沿って鉛直方向に設けられた板材となっており、鏡板１６の下端側は引出部材１４の前部１４Ａの下端側に対してヒンジ１８を介して回転可能に連結されている。
【００１９】
この構成により、鏡板１６は、ヒンジ１８を回転中心として、図６に示されるように、引出部材１４の前部１４Ａに沿った閉位置から、図８に示されるように、引出部材１４の前部１４Ａから所定角度（θ２）開いた開位置へ回転可能となっている。
【００２０】
図６に示されるように、引出部材１４の側壁１４Ｃの内部の上側には、引出部材１４の引き出し方向（図中に示す矢印Ｂ方向、以下単に「引出し方向」と言う）に延びるガイドレール２２が設けられている。さらに、このガイドレール２２には、引出し方向に沿ってガイドレール２２に移動可能に支持されると共に、引出し方向に延びる移動体２０が設けられている。
【００２１】
また、図７に示されるように、鏡板１６の裏面において、上下方向中間部には、凸状のブラケット２８が設けられている。そして、このブラケット２８と移動体２０の前端部（図７に示す左側端部）との間には、このブラケット２８と移動体２０の前端部とを連結するステー２４が設けられている。詳細には、ブラケット２８とステー２４の一端とは、軸２６によって回転可能に連結されており、ステー２４の他端と移動体２０の前端部とは、軸３０によって回転可能に連結されている。
【００２２】
また、移動体２０の前端下部には、下方に向かって突出する凸部２０Ｂが形成されている。さらに、この凸部２０Ｂの前方（図７に示す左側）であって、ステー２４の下方には、鏡板１６の開放に伴って移動する凸部２０Ｂと当って、鏡板１６の開放動作を規制（動作スピードを低下させる）する緩衝装置３８が設けられている。
【００２３】
詳細には、この緩衝装置３８にはダンパー機構が設けられており、緩衝装置３８の一端部には、鏡板１６が開放される際に凸部２０Ｂに押圧されて移動するピストン部３８Ａが設けられている。一方、緩衝装置３８の他端部には、鏡板１６が閉止される際に鏡板１６の裏面に押圧されて移動すると共に、ピストン部３８Ａと連結される押圧部３８Ｂが設けられている。この構成により、鏡板１６が開放される際に凸部２０Ｂに押圧されて初期位置から移動したピストン部３８Ａは、鏡板１６が閉止される際に鏡板１６の裏面に押圧部３８Ｂが押圧されることで初期位置に復帰するようになっている。
【００２４】
一方、図６に示されるように、引出し方向に延びる移動体２０の下面には、引出し方向に延びる凹凸状の係合歯２０Ｃが形成されている。さらに、この係合歯２０Ｃと噛み合う被係合歯４０Ａが外周に形成された円状の円形歯車４０が、移動体２０の下方であって、引出部材１４の側壁１４Ｃの内部に回転可能に固定されている。
【００２５】
また、この円形歯車４０の下方には、引出し方向に延びるガイドレール４２が、引出部材１４の側壁１４Ｃの内部に固定されて設けられている。さらに、このガイドレール４２には、引出し方向に沿ってガイドレール４２に移動可能に支持されると共に、引出し方向に延びる移動体４４が設けられている。そして、この移動体４４の上面には、円形歯車４０の外周に形成された被係合歯４０Ａと噛み合う凹凸状の係合歯４４Ｃが、引出し方向に延びて形成されている。
【００２６】
さらに、移動体４４の下面には、側壁１４Ｃから外側（側壁部１２Ａ側）に突出すると共に、磁性体で形成された突起部４４Ｂが、移動体４４と一体的に設けられている。そして、突起部４４Ｂと引出し方向で当接するように、突起部４４Ｂの後方（図６に示す右側）には、前述した移動抑制装置１１が設けられ、この移動抑制装置１１は、前述したようにキャビネット１２の側壁部１２Ａ（図３参照）に固定されている。
【００２７】
この構成により、図６、図７、図８に示されるように、引出部材１４がキャビネット１２に収納される収納位置（図６参照）で、鏡板１６をヒンジ１８を中心に矢印Ａ方向に回動させて開放されると、この回動力がステー２４を介して移動体２０に伝達され、移動体２０が引出し方向（矢印Ｂ方向）に直線移動するようになっている。
【００２８】
移動体２０が引出し方向に移動すると、移動体２０に形成された係合歯２０Ｃと噛み合う被係合歯４０Ａを備える円形歯車４０が回転し、この回転力が被係合歯４０Ａと噛み合う係合歯４４Ｃを備える移動体４４に伝達されるようになっている。
【００２９】
回転力が伝達された移動体４４は、引出し方向と反対の収納方向（矢印Ｃ方向）に直線移動し、移動体４４に設けられた突起部４４Ｂが、移動抑制装置１１を押圧（蹴り出す）ようになっている。
【００３０】
このように、鏡板１６に作用した回転力で、突起部４４Ｂが移動抑制装置１１を押圧することで、引出部材１４を引出部材１４がキャビネット１２から引き出される引出位置（図１０参照）に向けて移動させることができるようになっている。
【００３１】
（要部構成）
次に、移動抑制装置１１について説明する。
【００３２】
図１、図３に示されるように、移動抑制装置１１は、キャビネット１２の側壁部１２Ａに固定される固定部材５０と、この固定部材５０に対し移動可能に支持され、引出部材１４が収納位置（図６参照）から引出位置（図１０参照）へ向けて移動しようとすると固定部材５０から引き出されて移動する移動部材５２と、を含んで構成されている。
【００３３】
詳細には、固定部材５０は、引出し方向に延びる筒状の筒部５０Ａと、筒部５０Ａに一体的に設けられ、キャビネット１２の側壁部１２Ａに固定される固定孔５３が形成された一対の取付部５０Ｂとを含んで構成されている。
【００３４】
さらに、移動部材５２は、引出し方向に延びると共に、固定部材５０の筒部５０Ａに引出し可能に収納される引出部５２Ａと、引出部５２Ａの前端部（図１に示す左端部）に設けられ、後述する磁石部材５４が収納される収納部５２Ｂとを含んで構成されている。
【００３５】
また、引出部５２Ａの収納方向側の外周であって筒部５０Ａの内周面と摺動する摺動面には、凸状の凸部７０が設けている。そして、筒部５０Ａには、引出部５２Ａが決められた距離（本実施形態では４０ｍｍ）筒部５０Ａから引き出されたときに、この凸部７０と当接して引出部５２Ａの移動を規制する規制部５０Ｃが形成されている。
【００３６】
一方、収納部５２Ｂに収納される磁石部材５４は円柱状とされ、さらに、この磁石部材５４を挟むように、磁石部材５４の外側に突出する係止部材としての棒状の棒状部５６が磁石部材５４の外周面に２個固定されている。
【００３７】
また、磁石部材５４の後方（図１の右側）には、磁石部材５４を引出し方向（矢印Ｂ方向）に付勢するコイルスプリング５８が設けられている。さらに、収納部５２Ｂに収納された磁石部材５４を保持するホルダー部としてのカバー部材６０が設けられており、カバー部材６０は、図示せぬ締結部で収納部５２Ｂに着脱可能に固定されるようになっている。
【００３８】
また、カバー部材６０には、棒状部５６が挿通される一対の係止溝としての貫通溝６４が形成されており、この貫通溝６４は、引出し方向に延びる延伸部６４Ａと、引出し方向に対して直交する直交部６４Ｂとから構成されるＬ字状とされている。つまり、磁石部材５４と引出部材１４に設けられた鏡板１６との距離を調整する調整機構４６は、棒状部５６と貫通溝６４とで構成されている。
【００３９】
この構成により、図２（Ａ）に示されるように、棒状部５６を貫通溝６４の延伸部６４Ａに配置させると、コイルスプリング５８の付勢力で、磁石部材５４は引出し方向（矢印Ｂ方向）に付勢され、磁石部材５４が突起部４４Ｂに近接する近接位置へ移動するようになっている。一方、図２（Ｂ）に示されるように、棒状部５６を貫通溝６４の直交部６４Ｂに配置させると、コイルスプリング５８の付勢力に対抗して、磁石部材５４は収納方向（矢印Ｃ方向）に移動して、磁石部材５４が突起部４４Ｂから離間する離間位置へ移動するようになっている。
【００４０】
つまり、移動部材５２は、磁石部材５４の磁力により突起部４４Ｂに吸着されるようになっており、磁性体が近接位置（図２（Ａ））に配置される場合は、吸着力が大きく、磁性体が離間位置（図２（Ｂ））に配置される場合は、吸着力が小さくなるようになっている。
【００４１】
（作用・効果）
次に、移動抑制装置１１の作用・効果について説明する。
【００４２】
図６、図７、図８に示されるように、引出部材１４がキャビネット１２に収納される収納位置（図６参照）で、ユーザが鏡板１６をヒンジ１８を中心に矢印Ａ方向に回動させて開放させる。
【００４３】
鏡板１６を回動させて開放させると、この回動力がステー２４を介して移動体２０に伝達され、移動体２０が引出し方向（矢印Ｂ方向）に直線移動する。移動体２０が引出し方向に移動すると、移動体２０に形成された係合歯２０Ｃと噛み合う被係合歯４０Ａを備える円形歯車４０が回転し、この回転力が被係合歯４０Ａと噛み合う係合歯４４Ｃを備える移動体４４に伝達される。
【００４４】
このように、回転力が伝達された移動体４４は、引出し方向と反対の収納方向（矢印Ｃ方向）に直線移動し、移動体４４に設けられた突起部４４Ｂが、移動抑制装置１１を押圧（蹴り出す）する。突起部４４Ｂが移動抑制装置１１を押圧することで、引出部材１４が、引出し方向に移動する。つまり、鏡板１６に作用した回転力で、突起部４４Ｂが移動抑制装置１１を押圧することで、引出部材１４が引出位置（図１０参照）に向けて引出し方向に移動する。
【００４５】
図３、図８に示されるように、移動体４４と円形歯車４０との噛み合い位置が、移動体４４の端部に到達すると、円形歯車４０の回転が停止し、引出部材１４が引出位置に向けて移動すると共に、鏡板１６が回転停止する。
【００４６】
さらに、この状態から、引出位置への慣性移動によって、鏡板１６を引き出し方向へ移動させると、図４、図９に示されるように、磁石部材５４（図１参照）の磁力により突起部４４Ｂに吸着された移動部材５２が、固定部材５０の筒部５０Ａから引き出される。そして、移動部材５２が、筒部５０Ａから所定距離（４０ｍｍ）引き出されると、引出部５２Ａの凸部７０が、筒部５０Ａの規制部５０Ｃ（図１参照）と当接し、移動部材５２の移動が規制されて停止する。
【００４７】
この状態からさらに、ユーザが鏡板１６を把持して、鏡板１６を引き出し方向へ移動さようとしてユーザの引出力が磁石部材５４の吸着力に勝ると、図５、図１０に示されるように、突起部４４Ｂが移動部材５２から離間する。そして、引出部材１４は、引出部材１４がキャビネット１２から引き出される引出位置へ移動する。
【００４８】
引出部材１４を引出位置から収納位置へ移動させる場合は、前述した手順に対して逆の工程を経ることで引出部材１４が引出位置から収納位置へ移動する。
【００４９】
以上説明したように、ユーザが引出部材１４をキャビネット１２から引き出す際に、移動抑制装置１１の移動部材５２が固定部材５０から引き出され、所定距離（本実施形態では４０ｍｍ）引き出されたところで停止することで、引出部材１４の惰性走行を抑制して引出部材１４を任意の位置で停止させることである。
【００５０】
また、移動部材５２と突起部４４Ｂとは、磁石部材５４の磁力で吸着されている。このため、ユーザが移動部材５２の停止により移動が停止した引出部材１４をさらに引き出したい場合には、磁石部材５４の吸着力に勝る引出力を引出部材１４に作用させることで、引出部材１４を引出位置へ向けて移動させることができる。
【００５１】
また、調整機構４６を設け、磁石部材５４と引出部材１４に設けられた鏡板１６との距離を調整することができる。このため、磁石部材５４による移動部材５２と鏡板１６との吸着力が調整（変化）され、ユーザの操作感覚（フィーリング）を向上させることができる。
【００５２】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、コイルスプリング５８を用いて磁石部材５４を所定の位置に配置したが、とくにこれに限定されることなく、コイルスプリング５８を用いずに貫通溝の形状を工夫して磁石部材を所定の位置に配置してもよい。
【００５３】
また、上記実施形態では、移動抑制装置１１をキャビネット１２に固定させて、移動抑制装置１１と引出部材１４とを磁力により吸着させたが、移動抑制装置を引出部材に固定させて、移動抑制装置とキャビネットとを磁力により吸着させてもよい。
【００５４】
また、上記実施形態では、特に言及しなかったが、１個の引出部材に１個の移動抑制装置を設けてもよく、２個以上であってもよい。
【符号の説明】
【００５５】
１１          移動抑制装置
１２          キャビネット（筐体）
１４          引出部材
４６          調整機構
５０          固定部材
５２          移動部材
５４          磁石部材
５６          棒状部（係止部材）
６０          カバー部材（ホルダー部）
６４          貫通溝（係止溝）
【図１】
0005690090.tif 000002
【図２】
0005690090.tif 000003
【図３】
0005690090.tif 000004
【図４】
0005690090.tif 000005
【図５】
0005690090.tif 000006
【図６】
0005690090.tif 000007
【図７】
0005690090.tif 000008
【図８】
0005690090.tif 000009
【図９】
0005690090.tif 000010
【図１０】
0005690090.tif 000011